(57)【要約】【課題】本考案は防寒ウェアーに関し、ジャケット、ジャンパー、スキー等のスポーツウェアー等に最適であり、表地と裏地との間に充填したダウン、繊維綿等の保温材を内部に均等分配するのに、キルティング等のステッチ手段を施すためにミシン縫いした縫い目から外部に露出されるのを防止して不快を防ぎ、外部冷気や内部暖気が逃げるのを防止して優れた保温機能を発揮し、雨水等の侵入を防止する。【解決手段】表地１と裏地２との間に適宜ステッチ手段３が施されることにより収容室４が区画形成され、収容室内に、ダウン、繊維綿等の保温材５が充填される防寒ウェアーであって、前記ステッチが施される位置Ｓにて、裏地にホットメルトテープ６を長手方向Ｘに沿って縫着し、ホットメルトテープ６を表地の裏面側に融着して収容室４を形成すると共に該ホットメルトテープの融着により、裏地２に対するホットメルトテープ６の縫い目を閉塞する。【選択図】図１
0003105925.tif 000002
【実用新案登録請求の範囲】
【請求項１】
表地と裏地との間に適宜ステッチ手段が施されることにより収容室が区画形成され、該収容室内に、ダウン、繊維綿等の保温材が充填される防寒ウェアーであって、前記ステッチが施される位置において、前記裏地にホットメルトテープを長手方向に沿って縫着し、該ホットメルトテープを前記表地の裏面側に融着することにより前記収容室を形成すると共に該ホットメルトテープの融着により、前記裏地に対するホットメルトテープの縫い目を閉塞することを特徴とする防寒ウェアー。
【請求項２】
表地と裏地との間に適宜ステッチ手段が施されることにより収容室が区画形成され、該収容室内に、ダウン、繊維綿等の保温材が充填される防寒ウェアーであって、前記ステッチが施される位置において、前記裏地に二つ折りされたホットメルトテープの略中央部を長手方向に沿って縫着し、該ホットメルトテープの両片を前記裏地の両面側及び裏地のそれぞれに融着することにより前記収容室を形成すると共に該ホットメルトテープの融着により、前記裏地に対するホットメルトテープの縫い目を閉塞することを特徴とする防寒ウェアー。
【請求項３】
裏地が表地とリバーシブル用裏地との間に設けられたことを特徴とする請求項１又は２に記載の防寒ウェアー。
【考案の詳細な説明】
【技術分野】
【０００１】
本考案は防寒ウェアーに関し、例えばジャケット、ジャンパー、スキーまたは登山等のスポーツウェアー、コート、ベスト、ズボンに最適であり、表地と裏地との間に充填したダウン、繊維綿等の保温材を内部に均等分配するのに、キルティング等のステッチ手段を施すためにミシン縫いした縫い目から外部に露出されるのを防止して不快を防ぎ、外部冷気や内部暖気が逃げるのを防止して優れた保温機能を発揮し、また、雨水等の侵入を確実に防止するようにするものである。
【背景技術】
【０００２】
従来、例えば防寒ウェアーとして羽毛または中綿入りのものとして例えばコート、ジャンパー、ベスト等があるが、これらの防寒ウェアーは、羽毛または繊維綿等の中綿を表地および裏地と一括して直接、ミシン等で縫着することにより、羽毛または中綿を均等に分配して固定化をはかるようにしたもの、或いは表地と裏地とを分離させたまま羽毛または中綿のキルティング材を裏地として使用したものがあった（例えば特許文献１参照）。
【特許文献１】実公平２−２６８９５号公報
【考案の開示】
【考案が解決しようとする課題】
【０００３】
しかしながら、特許文献１に記載の上記従来の羽毛または中綿入りの防寒ウェアーは、羽毛または繊維綿等の中綿を表地または表地等と一括して直接、ミシン等で縫着することにより、羽毛または中綿を均等に分配して固定化をはかるようにしたもの、或いは表地と裏地とを分離させたまま羽毛または中綿のキルティング材を裏地として使用するものなので、防寒ウェアー内に詰め込まれた羽毛が表地または裏地のミシン等の縫目個所の縫い目から表面または裏面に漏れ出てウェアーに付着するため、羽毛の臭い等により不快になったり、抗アレルギー体質を生ずることになったり、しかも、外観的に汚れて見苦しくなることがあった。
【０００４】
また、表地にキルティング時の縫い目（針穴）が露出する場合には、縫い目から雨水や霧等の水滴が侵入したり、しかも、裏地に縫い目が露出する場合には、縫い目からキルティング内部に汗等の湿気が侵入する等の防水機能が損なわれたり、羽毛に水分を含むことにより羽毛の初期性能が損なわれる。
【０００５】
しかも、外部冷気が内部に侵入したり、内部暖気が外部に漏れ出ることにより、保温性が低下するものであった。
【０００６】
そのうえ、キルティング等の縫糸が表面に表れるので、縫糸の摺り切れや、引掛け等に起因する糸切れにより、さらに縫い目が拡大する欠点があった。
【０００７】
本考案は上記従来の欠点を解決し、ウェアー内に詰め込まれた羽毛が表地または裏地のミシン等の縫目個所の縫い目から表面または裏面へ漏れ出るのを確実に防止してウェアーに付着することによる羽毛の臭い等による不快や抗アレルギー体質になる原因を一掃し、以て外観的な見苦しさがなく、また防水性と保温性に優れ、また、羽毛本来の初期性能が損なわれず、また縫糸の摺り切れや引掛け等による糸切れがなくなり、キルティング方式による凹凸面を有しながら表面に糸目が現れない斬新なキルティング方式によりキルトファッション分野の拡大となり、さらには製作および組付けが簡単で製作コストが安価な防寒ウェアーを提供することを目的とする。
【課題を解決するための手段】
【０００８】
本考案は上記課題に鑑みなされたものであり、請求項１に記載の考案は、表地と裏地との間に適宜ステッチ手段が施されることにより収容室が区画形成され、該収容室内に、ダウン、繊維綿等の保温材が充填される防寒ウェアーであって、前記ステッチが施される位置において、前記裏地にホットメルトテープを長手方向に沿って縫着し、該ホットメルトテープを前記表地の裏面側に融着することにより前記収容室を形成すると共に該ホットメルトテープの融着により、前記裏地に対するホットメルトテープの縫い目を閉塞することを特徴とする。
【０００９】
また、本考案の請求項２に記載の考案は、表地と裏地との間に適宜ステッチ手段が施されることにより収容室が区画形成され、該収容室内に、ダウン、繊維綿等の保温材が充填される防寒ウェアーであって、前記ステッチが施される位置において、前記裏地に二つ折りされたホットメルトテープの略中央部を長手方向に沿って縫着し、該ホットメルトテープの両片を前記表地の両面側及び裏地のそれぞれに融着することにより前記収容室を形成すると共に該ホットメルトテープの融着により、前記裏地に対するホットメルトテープの縫い目を閉塞することを特徴とする。
【００１０】
また、本考案の請求項３に記載の考案は、請求項１又は２において、裏地が表地とリバーシブル用裏地との間に設けられたことを特徴とする。
【考案の効果】
【００１１】
本考案は、ウェアー内に詰め込まれた羽毛が表地または裏地のミシン等の縫目から表面または裏面へ漏れ出るのを確実に防止してウェアーに付着することによる羽毛の臭い等による不快や抗アレルギー体質になる原因を一掃し、以て外観的な見苦しさがなく、また防水性と保温性に優れ、羽毛本来の初期性能が損なわれず、また縫糸の摺り切れや引掛け等による糸切れがなくなり、キルティング方式による凹凸面を有しながら表面に糸目が現れない斬新なキルティング方式によりキルトファッション分野の拡大となり、さらには製作および組付けが簡単で製作コストが安価になる。
【考案を実施するための最良の形態】
【００１２】
以下図面に従い、本考案を実施するための最良の形態につき詳細を説明する。
【００１３】
図１は本考案の防寒ウェアーの実施形態１を示す拡大断面図、図２は同じくリバーシブル・ジャケット形式の本実施形態１の防寒ウェアーの全景を示す正面図、図３は同じく背面図、図４は同じくリバーシブル側を着用する時の正面図、図５は同じく背面図である。
【００１４】
本実施形態１は、表地１と裏地２との間に適宜ステッチ手段３が施されることにより収容室４が区画形成され、該収容室４内に、ダウン、繊維綿等の保温材５が充填される防寒ウェアーである点は例えば特許文献１に記載の従来の防寒ウェアーと同様の構成である。
【００１５】
しかしながら、図示する本実施形態１の防寒ウェアーでは、前記ステッチが施される位置Ｓにおいて、前記裏地２にホットメルトテープ６を長手方向Ｘに沿って縫着し、該ホットメルトテープ６を前記表地１の裏面側に融着することにより前記収容室４を形成すると共に該ホットメルトテープ６の融着により、前記裏地２に対するホットメルトテープ６の縫い目を閉塞することを特徴とする。
【００１６】
前記表地１は、撥水性と保温性とを有する素材、例えば合成繊維よりなる布帛により形成される。
【００１７】
この合成繊維としては、例えばポリアミド繊維、ポリエステル繊維、アクリル繊維、ポリプロピレン繊維、ポリウレタン繊維、ポリエチレン繊維等が挙げられるが、これは例示であり、これに制限されない。
【００１８】
また、図示する本実施形態１の防寒ウェアーは、リバーシブル・ジャケットであるので、ウェアーの表裏両面に前記表地１とリバーシブル用表布１′が配置され、前記裏地２が、前記表地１とリバーシブル用表地１′との間に設けられる。
【００１９】
このリバーシブル用表地１′は、通気性、撥水性、保温性、柔軟性を有する素材により形成される。例えば、リバーシブル用表地１′は、合成繊維により形成される布帛により形成され、この合成繊維としては、例えばポリアミド繊維、ポリエステル繊維、アクリル繊維、ポリプロピレン繊維、ポリエチレン繊維等が挙げられるがこれは例示であり、これに制限されない。
【００２０】
また、前記ホットメルトテープ６が、略山形に２つ折りされて略中央部を長手方向Ｘに沿って裏地２に縫着し、ホットメルトテープ６の一片６ａは前記表地１の裏面に接着され、また、ホットメルトテープ６の他片６ｂは裏地２に接着されて裏地２に縫着した個所の縫い目をホットメルトテープ６により裏面から塞ぐようにしている。
【００２１】
このようにして、前記表地１と裏地２との間にホットメルトテープ６は略中央部が組付けられて裏地２側に前記ステッチ手段３が施されることによりホットメルトテープ６により仕切られた表地１と裏地２との間の内部の収容室４内に、ダウン、繊維綿等の保温材５を充填する。
【００２２】
また、前記ホットメルトテープ６は、一片６ａおよび２つ折りされた他片６ｂが熱ローラによりプレスされたり、アイロン等により加熱されることにより、それぞれ表地１の裏面と、裏地２に溶着されるか、または高周波溶着されるか、超音波溶着される。
【００２３】
本考案の防寒ウェアーの実施形態１は以上の構成からなり、撥水性を有する素材、例えば合成繊維よりなる布帛により形成された表地１の裏面に、ホットメルトテープ６は略山形に２つ折りされてから略中央部を長手方向Ｘに沿って前記裏地２に縫着してステッチ手段３とし、また、該ホットメルトテープ６の一片６ａを表地１の裏面に接着するとともに、該ホットメルトテープ６の他片６ｂを裏布２の裏面に接着することによりステッチ手段３の縫い目をホットメルトテープ６にて塞ぐようにしている。
【００２４】
この際、ホットメルトテープ６は、略山形に２つ折りされて略中央部を裏地２に縫着され、一片６ａを表地１の裏面に接着するとともに他片６ｂを裏地２に密に接着されるので、この他片６ｂにより縫い目を確実に塞ぐことができる。
【００２５】
従って、本実施形態１の防寒ウェアーには表地１にステッチとしてのミシンの縫着個所となる縫い目が全くないので、表地１と裏地２との間に形成される内部の収容室４内に充填された保温材５としての羽毛は表地１の表面側には確実に露出しない。
【００２６】
また、ステッチ手段３となる裏地２のミシン等の縫目個所となる縫い目は、ホットメルトテープ６の他片６ｂが裏地２に接着されることによりホットメルトテープ６により裏面から塞がれるので、表地１と裏地２との間の収容室４内に詰め込まれた保温材５としての羽毛は編み目から裏地２の表面側には露出しない。しかも、本実施形態１の防寒ウェアーは、リバーシブル・ジャケットであり、表裏両面に前記表地１とリバーシブル用表地１′が配置され、前記裏地２が、前記表地１とリバーシブル用表地１′との間に設けられて裏地２はリバーシブル用表地１′によりさらに覆われるので、羽毛がリバーシブル用表地１′の表面側に露出することは完全に防止される。
【００２７】
このように、表地１と裏地２との間の収容室４内に充填された羽毛が、防寒ウェアーの表面または裏面へ漏れ出るのを確実に防止できるので、ウェアーに羽毛が付着することによる羽毛の臭い等による不快や抗アレルギー体質になる原因が一掃される。しかも、外観的に汚くなる等の見苦しさがなくなる。また、前述のように表地１にはミシンにより縫着される時の縫い目が全くないので、縫い目から雨水や霧等の水滴が侵入することはないとともに外部冷気が縫い目から侵入することなく、保温性は保たれる。また、前述のように、裏地２に設けられるミシンの縫い目はホットメルトテープ６により塞がれるので、縫い目から内部に汗等の湿気が侵入する等の防水機能が損なわれたり、羽毛に水分を含むことにより羽毛の初期性能が損なわれることがないとともに、内部暖気が縫い目から逃げて保温性が損なわれるという不都合は解消される。
【００２８】
そのうえ、ステッチ手段３の縫糸がホットメルトテープ６により針穴を通じて裏地２の表面に表れるのが防止されるで、縫糸の摺り切れや、引掛け等に起因する糸切れもなくなる。従って、キルティング方式による凹凸面をステッチが実施される位置Ｓに有しながら、表地１の表面はもとより、裏地２の裏面に縫目が現れない斬新なキルティング方式が採用され、キルティングファッション分野の拡大になる。
【００２９】
さらには、ホットメルトテープ６は、熱ローラによりプレスしたり、アイロン等により加熱したり、高周波溶着したり、超音波溶着する等することにより、ホットメルトテープ６の一片６ａを表地１の裏面に溶着するとともに、ホットメルトテープ６の他片６ｂを裏地２の裏面に溶着してミシンの縫着時の縫い目はシールテープ６にて塞がれるので、製作および組付けが簡単になり、量産できるため、製作コストが安価になる。
【００３０】
また、本実施形態１の防寒ウェアーはリバーシブル・ジャケットであるので、被着者の好みによりリバーシブル用表布１′を表面側にして被着することができる。
【００３１】
この場合にも、前述のようにステッチ手段３となる裏地２のミシン等の縫目個所となる針穴は、他片６ｂが裏地２に接着されたホットメルトテープ６により裏面から塞がれるので、表地１と裏地２との間の収容室４内に詰め込んだ保温材５としての羽毛が編み目から裏地２の表面側に露出するのが防止される。しかも、前記裏地２は、リバーシブル用表布１′によりさらに覆われるので、羽毛がリバーシブル用表布１′の表面側に露出するのを完全に防止することができる。
【００３２】
図６ないし図８は、リバーシブル・ジャケットに適用した前記実施形態１とは異なり、表地１を表面側にして着用する片面着用タイプのジャケツトとして適用した実施形態２を示す。
【００３３】
そして、本実施形態２では、前記ホットメルトテープ６が、略山形に２つ折りされずに、ホットメルトテープ６の略中央を裏地２に縫着してステッチ手段３とし、ホットメルトテープ６の一片６ａは前記表地１の裏面に接着され、他片６ｂは表地１および／または裏地２に平行に接着されることにより、ステッチ手段Ｓの縫い目をホットメルトテープ６にて塞ぐようにした構成により、表地１にステッチにおけるミシンの縫着個所としての縫い目をなくした。
【００３４】
こうして、収容室４内に詰め込む保温材５としての羽毛を縫い目から裏地２の表面側に露出するのを防止し、ウェアーに羽毛が付着されることによる羽毛の臭い等による不快や抗アレルギー体質になる原因が一掃でき、外観的な見苦しさをなくす。
【００３５】
また、特許文献１に記載の従来の防寒ウェアーとは異なり、縫い目から雨水や霧等の水滴が侵入するのを防止したり、外部冷気の侵入を防止して保温性を高める。しかも、縫い目から内部に汗等の湿気が侵入する等の防水機能を発揮し、羽毛に水分を含むことにより羽毛の初期性能を損なうことがないとともに、内部暖気が逃げるというような不都合を解消する。そのうえ、ステッチ手段３の縫い目がホットメルトテープ６により裏地２の表面に表れるのを防止し、縫糸の摺り切れや、引掛け等に起因する糸切れをなくす作用を奏する。
【００３６】
そして、本実施形態２では、表地１と裏地２との間に羽毛等の保温材５を収容する収容室４を形成するためのホットメルトテープ６は、一片６ａが前記表地１の裏面に接着され、他片６ｂは表地１および／または裏地２に平行に配置されるので、防寒ウェアーとして、収容室４内に詰め込む羽毛等の保温材５の充填量も少なく、薄形の防寒ウェアーを形成でき、軽量化をはかることができる。そして、表地１の表面側には、ミシンの縫着個所による縫い目が存在せずにホットメルトテープ６の一片６ａが接着されたステッチレスとした外観的にスッキリとしたデザインの姿態に形成することできるほか、前記実施形態１と同様の作用を奏する。
【００３７】
図示する上記各実施形態では、防寒ウェアーとしてジャケットについて代表的に説明したが、防寒ウェアーとしては図示するものに限らず、例えばジャンパー、スキーまたは登山等のスポーツウェアー、コート、ベスト、ズボン等があげられ、広範に及ぶ。
【００３８】
また、ホットメルトテープ６は、上記説明では、熱ローラによりプレスしたり、アイロン等により加熱したり、高周波溶着したり、超音波溶着する等することにより、ホットメルトテープ６の一端６ａを表地１の裏面に溶着するとともに、ホットメルトテープ６の他片６ｂを裏地２の裏面に溶着しているが、ホットメルトテープ６はこれに限ることなく接着剤を用いて表布１と、裏布２に接着することも本発明の適用範囲である。
【産業上の利用可能性】
【００３９】
本考案は、ウェアー内に詰め込まれた羽毛が表地または裏地のミシン等の縫目から表面または裏面へ漏れ出るのを確実に防止してウェアーに付着することによる羽毛の臭い等による不快や抗アレルギー体質になる原因を一掃し、以て外観的な見苦しさがなく、また防水性と保温性に優れ、羽毛本来の初期性能が損なわれず、また縫糸の摺り切れや引掛け等による糸切れがなくなり、キルティング方式による凹凸面を有しながら表面に糸目が現れない斬新なキルティング方式によりキルトファッション分野の拡大となり、さらには製作および組付けが簡単で製作コストが安価になる分野・用途に適する。
【図面の簡単な説明】
【００４０】
【図１】本考案の図１は本考案の防寒ウェアーの実施形態１を示す拡大断面図である。
【図２】図２は同じくリバーシブル・ジャケット形式の本実施形態１の防寒ウェアーの全景を示す正面図である。
【図３】図３は同じく背面図である。
【図４】図４は同じくリバーシブル側を表側にして着用する時の正面図である。
【図５】図５は同じく背面図である。
【図６】図６は同じく実施形態２を示し、片面着用形式の防寒ウェアーを示す拡大断面図である。
【図７】図７は同じく防寒ウェアーの全景を示す正面図である。
【図８】図８は同じく背面図である
【符号の説明】
【００４１】
１      表地
１′    リバーシブル用表地
２      裏地
３      ステッチ手段
４      収容室
５      保温材
６      ホットメルトテープ
６ａ    一片
６ｂ    他片
Ｓ      ステッチが施される位置
【図１】
0003105925.tif 000003
【図２】
0003105925.tif 000004
【図３】
0003105925.tif 000005
【図４】
0003105925.tif 000006
【図５】
0003105925.tif 000007
【図６】
0003105925.tif 000008
【図７】
0003105925.tif 000009
【図８】
0003105925.tif 000010